(57)【要約】【課題】組立て、分解が可能であるうえに、強度性に優れ、しかも収納空間や引出しを備え、さらに椅子を組み合わせたものにすることにより、本格的な机に少しでも近づけた組立て机を提供することを課題とする。【解決手段】厚紙で作製した左右一対の側体１、１、前板２、棚体３、天板４から構成され、これら構成部材を各折目から折り曲げ、各差込孔及び差込溝に差し込んで組み立て、天板４と棚体３との間に収納空間Ｓを形成したものとしている。【選択図】図２３
2014004076.tif 000002
【特許請求の範囲】
【請求項１】
厚紙で作製した左右一対の側体（１、１）、前板（２）、棚体（３）、天板（４）から構成され、これら構成部材を各折目から折り曲げ、各差込孔及び差込溝に差し込んで組み立て、天板（４）と棚体（３）との間に収納空間（Ｓ）を形成したことを特徴とする組立て机。
【請求項２】
表面板（１１）の一側端に折目を介して順に後面板（１２）、裏面板（１３）を設け、表面板（１１）の他側端に折目を介して順に前面板（１４）、内面板（１５）を設け、表面板（１１）の上端には、折目を介して連結片（１６）を設け、後面板（１２）及び裏面板（１３）には、上部において、後面板（１２）の全幅にわたって横方向差込孔（ａ1 ）を形成し、この横方向差込孔（ａ1 ）に連なって裏面板（１３）の中程にかけて横方向差込孔（ａ2 ）を形成し、裏面板（１３）には、上端から中程にかけて縦方向差込溝（ｂ1 ）を形成すると共に、下端に折目を介して順に底面板（１７）、差込片（１８）を設け、前面板（１４）には、上部中央に縦方向差込み孔（ｃ）を形成し、内面板（１５）には、上端から中程にかけて縦方向差込み溝（ｂ2 ）を形成してなる一対の側体（１、１）と、
上部中央に横方向差込孔（ｄ）を形成し、上部両端に横方向差込溝（ｅ、ｅ）を形成し、両下端からそれぞれ中程にかけて縦方向差込溝（ｆ、ｆ）を形成してなる前板（２）と、
表面板（３１）の一側端に折目を介して裏面板（３２）を設け、表面板（３１）の側端中央および裏面板（３２）の側端中央にそれぞれ差込片（３３、３４）を設けると共に、表面板（３１）の上下端および裏面板（３２）の上下端にそれぞれ差込片（３５、３５、３６、３６）を設け、表面板（３１）の上下端から中程、及び裏面板（３２）の上下端から中程にかけて、それぞれ横方向差込溝（ｇ、ｇ、ｈ、ｈ）を形成してなる棚体（３）と、
表面板（４１）の上端に折目を介して裏面板（４２）を設け、表面板（４１）の下端に折目を介して前面板（４３）を設け、表面板（４１）の両側端には、折目を介して重ね片（４４、４４）を設け、前面板（４３）の両下角部には、折目を介して差込片（４５、４５）を設けてなる天板（４）とを、それぞれを厚紙で作製し、
これら一対の側体（１、１）、前板（２）、棚体（３）、天板（４）を各折目から折り曲げ、各差込孔及び差込溝に差し込んで組み立て、前記天板（４）と棚体（３）との間に収納空間（Ｓ）を形成したことを特徴とする組立て机。
【請求項３】
前記一対の側体（１、１）の連結片（１６、１６）の上端にそれぞれ形成した嵌合部（１６ａ、１６ａ）に嵌まり込むようにした嵌合部（５ａ、５ａ）を両側端に形成した連結板（５）を厚紙で作製し、この連結板（５）によって前記一対の側体（１、１）の連結片（１６、１６）を連結したことを特徴とする請求項２記載の組立て机。
【請求項４】
前記天板（４）の表面板（４１）と裏面板（４２）との間に、厚紙で作製した補強板（６）を挟んだことを特徴とする請求項２又は３記載の組立て机。
【請求項５】
前記収納空間（Ｓ）に、厚紙で作製した引出し（７）を摺動自在として挿入したことを特徴とする請求項１〜４の何れかに記載の組立て机。
【請求項６】
請求項１〜５の何れかに記載の組立て机に、厚紙で作製した椅子（８）を組み合わせたことを特徴とする組立て机。
【発明の詳細な説明】
【技術分野】
【０００１】
この発明は、段ボール紙などの厚紙で作製され、子ども、特に幼児などが用いるのに適した組立て机に関するものである。
【背景技術】
【０００２】
従来、幼児が用いるのに適した机としては、合成樹脂製や木製のものが存在するが、幼児が学童になると本格的なものに買い換えるため、段ボール紙などの厚紙で作製され、構造が簡単で容易に組み立てることができるものが数多く存在する。
【０００３】
従来、このような組立て机としては、一枚の段ボール紙に形成した各折目より折り曲げて、天板部、側壁部、起立壁部などを形成することにより、簡単に組み立てることができるものが存在する（特許文献１）。
【０００４】
さらに、このような組立て机としては、天板部、側壁部、起立壁部などを別々の段ボール紙で形成し、それらの部材をそれぞれ各折目より折り曲げたり、各差込溝に差し込んだりして、簡単に組み立てることができるものが存在する（非特許文献１）。
【先行技術文献】
【特許文献】
【０００５】
【特許文献１】実用新案登録第３１００１８０号公報
【非特許文献】
【０００６】
【非特許文献１】森井紙器工業株式会社の通販のホ−ムページに記載の「ダンボールの机＆イス」(http://www.morii-group.co.jp/e-dan/shop＿desk.html)
【発明の概要】
【発明が解決しようとする課題】
【０００７】
上記従来の組立て机は、一枚の段ボール紙により作製されたり、数枚の段ボール紙により作製されているため、構造が非常に簡単で容易に組み立てることができるという利点がある。
【０００８】
しかしながら、上記従来の組立て机は、構造が非常に簡単で容易に組み立てることができるといっても、その反面、強度性に欠けるという問題点を有していた。
【０００９】
さらに、上記従来の組立て机は、収納空間や引出しも存在せず、本格的な机には程遠く、幼児が用いるといっても、使用勝手が非常に悪く、組立て机を購入した幼児の保護者等にとっても物足りなさを感じており、本格的な机に少しでも近づけた組立て机の出現が望まれていた。
【００１０】
そこで、この発明は、上記従来の問題点を解決することをその課題としており、複数枚の段ボールなどの厚紙で作製され、組立て、分解が可能であるうえに、強度性に優れ、しかも収納空間や引出しを備え、さらに椅子を組み合わせたものにすることにより、本格的な机に少しでも近づけた組立て机を提供することを目的としてなされたものである。
【課題を解決するための手段】
【００１１】
そのため、この発明の組立て机は、厚紙で作製した左右一対の側体１、１、前板２、棚体３、天板４から構成され、これら構成部材を各折目から折り曲げ、各差込孔及び差込溝に差し込んで組み立て、天板４と棚体３との間に収納空間Ｓを形成したものとしている。
【００１２】
前記側体１は、表面板１１の一側端に折目を介して順に後面板１２、裏面板１３を設け、表面板１１の他側端に折目を介して順に前面板１４、内面板１５を設け、表面板１１の上端には、折目を介して連結片１６を設け、後面板１２及び裏面板１３には、上部において、後面板１２の全幅にわたって横方向差込孔ａ１ を形成し、この横方向差込孔ａ1 に連なって裏面板１３の中程にかけて横方向差込孔ａ2 を形成し、裏面板１３には、上端から中程にかけて縦方向差込溝ｂ1 を形成すると共に、下端に折目を介して順に底面板１７、差込片１８を設け、前面板１４には、上部中央に縦方向差込み孔ｃを形成し、内面板１５には、上端から中程にかけて縦方向差込み溝ｂ2 を形成してなるものとしている。
【００１３】
前記前板２は、上部中央に横方向差込孔ｄを形成し、上部両端に横方向差込溝ｅ、ｅを形成し、両下端からそれぞれ中程にかけて縦方向差込溝ｆ、ｆを形成してなるものとしている。
【００１４】
前記棚体３は、表面板３１の一側端に折目を介して裏面板３２を設け、表面板３１の側端中央および裏面板３２の側端中央にそれぞれ差込片３３、３４を設けると共に、表面板３１の上下端および裏面板３２の上下端にそれぞれ差込片３５、３５、３６、３６を設け、表面板３１の上下端から中程、及び裏面板３２の上下端から中程にかけて、それぞれ横方向差込溝ｇ、ｇ、ｈ、ｈを形成してなるものとしている。
【００１５】
前記天板４は、表面板４１の上端に折目を介して裏面板４２を設け、表面板４１の下端に折目を介して前面板４３を設け、表面板４１の両側端には、折目を介して重ね片４４、４４を設け、前面板４３の両下角部には、折目を介して差込片４５、４５を設けてなるものとしている。
【００１６】
さらに、この発明の組立て机において、前記一対の側体１、１の連結片１６、１６の上端にそれぞれ形成した嵌合部１６ａ、１６ａに嵌まり込むようにした嵌合部５ａ、５ａを両側端に形成した連結板５を厚紙で作製し、この連結板５によって前記一対の側体１、１の連結片１６、１６を連結したものとしている。
【００１７】
また、この発明の組立て机において、前記天板４の表面板４１と裏面板４２との間に、厚紙で作製した補強板６を挟んだものとしている。
【００１８】
さらにまた、この発明の組立て机において、前記収納空間Ｓに、厚紙で作製した引出し７を摺動自在として挿入したものとしている。
【００１９】
そして、この発明の組立て机において、厚紙で作製した椅子８を組み合わせたものとしている。
【発明の効果】
【００２０】
この発明の組立て机は、以上に述べたように構成されているので、複数枚の段ボールなどの厚紙で作製されているが、組立て、分解が可能であるうえに、強度性に優れたものとなる。
【００２１】
さらに、この発明の組立て机は、収納空間や引出しを備え、さらに椅子を組み合わせたものにしたので、本格的な机に少しでも近づいたものとなり、使用勝手も良くなり、組立て机を購入した幼児の保護者等にとっても物足りなさを感じることはなく、充分に納得のできるものとなる。
【図面の簡単な説明】
【００２２】
【図１】この発明の組立て机を構成する右側体の展開図である。
【図２】この発明の組立て机を構成する左側体の展開図である。
【図３】この発明の組立て机を構成する前板の平面図である。
【図４】この発明の組立て机を構成する棚体の展開図である。
【図５】この発明の組立て机を構成する天板の展開図である。
【図６】この発明の組立て机を構成する連結板の平面図である。
【図７】この発明の組立て机を構成する補強板の平面図である。
【図８】この発明の組立て机の組み立て順序を示す説明図である。
【図９】この発明の組立て机の組み立て順序を示す説明図である。
【図１０】この発明の組立て机の組み立て順序を示す説明図である。
【図１１】この発明の組立て机の組み立て順序を示す説明図である。
【図１２】この発明の組立て机の組み立て順序を示す説明図である。
【図１３】この発明の組立て机の組み立て順序を示す説明図である。
【図１４】この発明の組立て机の組み立て順序を示す説明図である。
【図１５】この発明の組立て机の組み立て順序を示す説明図である。
【図１６】この発明の組立て机の組み立て順序を示す説明図である。
【図１７】この発明の組立て机の組み立て順序を示す説明図である。
【図１８】この発明の組立て机の組み立て順序を示す説明図である。
【図１９】この発明の組立て机の組み立て順序を示す説明図である。
【図２０】この発明の組立て机の組み立て順序を示す説明図である。
【図２１】この発明の組立て机の組み立て順序を示す説明図である。
【図２２】この発明の組立て机の組み立て順序を示す説明図である。
【図２３】この発明の組立て机の組み立てた状態を示す斜視図である。
【図２４】この発明の組立て机に組み合わせる引出しの展開図である。
【図２５】図２４に示す引出しの組み立て順序を示す説明図である。
【図２６】図２４に示す引出しの組み立て順序を示す説明図である。
【図２７】図２４に示す引出しの組み立て順序を示す説明図である。
【図２８】この発明の組立て机に椅子を組み合わせた状態の斜視図である。
【図２９】図２８に示す椅子の斜視図である。
【発明を実施するための形態】
【００２３】
以下、この発明の組立て机の実施の形態を、図面に基づいて詳細に説明する。
【００２４】
この発明の組立て机は、図１〜５に示したような、それぞれを厚紙で作製した左右一対の側体１、前板２、棚体３、天板４から構成され、これら構成部材を各折目から折り曲げ、各差込孔及び差込溝に差し込んで組み立てたものとしている。さらに、この発明の組立て机は、前記構成部材に加えて、図６、７に示したような、それぞれを厚紙で作製した連結板５、補強板６から構成され、これら構成部材を前記構成部材と共に組み立てたものとしている。なお、側体１、前板２、天板４の表面には、撥水加工を施して、防水性や防汚性に優れたものにすることができる。
【００２５】
前記厚紙は、段ボール、ボール紙、白板紙、ケント紙などとするができるが、段ボールとするのが、強度性、耐久性、取扱い面、加工面などにおいて好ましいものとなる。また段ボールは、強化段ボールを用いて、強度性や耐久性により優れたものにするのが好ましい。
【００２６】
前記一対の側体１、１は、左右対称としており、図１、２に示したように展開した状態において、それぞれ表面板１１の一側端に折目を介して順に後面板１２、裏面板１３を設け、表面板１１の他側端に折目を介して順に前面板１４、内面板１５を設けたものとしている。表面板１１の上端には、折目を介して連結片１６を設けている。後面板１２及び裏面板１３には、上部において、後面板１２の全幅にわたって横方向差込孔ａ1 を形成し、この横方向差込孔ａ1 に連なって裏面板１３の中程にかけて横方向差込孔ａ2 を形成している。裏面板１３には、上端から中程にかけて縦方向差込溝ｂ1 を形成すると共に、下端に折目を介して順に底面板１７、差込片１８を設けている。前面板１４には、上部中央に縦方向差込み孔ｃを形成している。内面板１５には、上端から中程にかけて縦方向差込み溝ｂ2 を形成すると共に、前記縦方向差込み溝ｂ2 を半分程度残して上端角部を切り欠いている。連結片１６の上端には、凹凸形状とした嵌合部１６ａを形成している。
【００２７】
前記前板２は、図３に示したように平面状態において、上部中央に横方向差込孔ｄを形成し、上部両端に横方向差込溝ｅ、ｅを形成し、両下端からそれぞれ中程にかけて縦方向差込溝ｆ、ｆを形成している。
【００２８】
前記棚体３は、図４に示したように展開した状態において、表面板３１の一側端に折目を介して裏面板３２を設けたものとしている。表面板３１の側端中央および裏面板３２の側端中央にそれぞれ差込片３３、３４を設けると共に、表面板３１の上下端および裏面板３２の上下端にそれぞれ差込片３５、３５、３６、３６を設けている。さらに、表面板３１の上下端から中程、及び裏面板３２の上下端から中程にかけて、それぞれ横方向差込溝ｇ、ｇ、ｈ、ｈを形成している。
【００２９】
前記天板４は、図５に示したように展開した状態において、表面板４１の上端に折目を介して裏面板４２を設け、表面板４１の下端に折目を介して前面板４３を設けたものとしている。表面板４１の両側端には、折目を介して重ね片４４、４４を設けている。前面板４３の両下角部には、折目を介して差込片４５、４５を設けている。
【００３０】
前記連結板５は、一対の側体１、１のそれぞれの連結片１６、１６どうしを連結するものであり、図６に示したように平面状態において、連結片１６、１６のそれぞれの嵌合部１６ａ、１６ａに嵌まり込むような凹凸形状にした嵌合部５ａ、５ａを両側端に形成している。
【００３１】
前記補強板６は、天板４の表面板４１と裏面板４２との間に挟んで、その天板４を補強するものであり、図７に示したように平面状態において、表面板４１より一回り小さく形成している。なお、前記補強板６は、二枚にしているが、補強の程度によって、必要な枚数とすればよい。
【００３２】
これらの構成部材からなるこの発明の組立て机は、次のようにして組み立てるものとしている。
【００３３】
先ず、図８〜９に示したように、一対の側体１は、前面板１４、内面板１５をそれぞれ折目にしたがって順に内側に折り曲げ、後面板１２、裏面板１３をそれぞれ折目にしたがって順に内側に折り曲げ、裏面板１３を内面板１５に重ね合わせ、裏面板１３の縦方向差込溝ｂ1 と内面板１５の縦方向差込溝ｂ2 とを合致させる。さらに、底面板１７、差込片１８をそれぞれ折目にしたがって順に内側に折り曲げ、表面板１１に差込片１８を重ね合わせる。このようにすることにより、側体１は、有底の箱体となり、強度性に優れたものとなる。
【００３４】
次に、図１０、１１に示したように、一対の側体１のそれぞれ合致させた裏面板１３の縦方向差込溝ｂ1 と内面板１５の縦方向差込溝ｂ2 に、前板２の縦方向差込溝ｆ、ｆが交差するようにして、一対の側体１に前板２を差し込む。
【００３５】
さらに、図１２に示したように、棚板３は、表面板３１を折目にしたがって内側に折り曲げ、この表面板３１を裏面板３２に重ね合わせることにより、表面板３１の横方向差込溝ｇ、ｇと裏面板３２の横方向差込溝ｈ、ｈとをそれぞれ合致させ、表面板３１の差込片３３、３５、３５と裏面板３２の差込片３４、３６、３６とをそれぞれ重ね合わせる。このようにすることにより、棚板３は、表面板３１と裏面板３２の二重構造となり、強度性に優れたものとなる。
【００３６】
そして、棚板３は、図１３に示したように、重ね合わせた差込片３５、３６をそれぞれ一対の側体１の後面板１２の横方向差込孔ａ1 、ａ1 に差し込み、一対の側体１の裏面板１３の横方向差込孔ａ2 、ａ2 に、棚板３のそれぞれ合致させた表面板３１の横方向差込溝ｇと裏面板３２の横方向差込溝ｈが交差するようにして、一対の側体１に棚板３を差し込み、さらに重ね合わせた差込片３３、３４を前板２の横方向差込孔ｄに差し込む。
【００３７】
次に、図１４、１５に示したように、一対の側体１の上端及び前板２の上端に天板４の裏面板４２を置き、図１６、１７に示したように、一対の側体１の連結片１６を折目にしたがって内側に折り曲げ、天板４の裏面板４２に重ね合わせ、連結板５の嵌合部５ａを一対の側体１の連結片１６の嵌合部１６ａに嵌め込み、一対の側体１の連結片１６どうしを連結している。なお、この場合、連結板５を用いることなく、連結片１６を長くして、その連結片１６の嵌合部１６ａどうしを嵌め込むようにして、一対の側体１の連結片１６どうしを連結してもよい。
【００３８】
さらに、図１８に示したように、天板４の表面板４１に補強板６を重ね合わせ、図１９に示したように、この表面板４１を折目にしたがって内側に折り曲げると共に、重ね片４４、４４を折目にしたがって内側に折り曲げて補強板６に重ね合わせ、図２０に示したように、天板４を一対の側体１の連結片１６及び連結板６の上に重ね合わせる。なお、天板４は、補強板６を用いれば、より強度性に優れたものとなるが、表面板４１と裏面板４２の二重構造となっていると共に、重ね片４４、４４を重ね合わせたものとなっているので、補強板６を用いなくても、強度性に優れたものとなる。
【００３９】
そして、図２１、２２に示したように、天板４の前面板４３の差込片４５、４５を折目にしたがって内側に折り曲げ、これらの差込片４５、４５を一対の側体１の前面板１４の縦方向差込み孔ｃ、ｃにそれぞれ差し込めば、この発明の組立て机の組み立てが完了することになる。
【００４０】
以上のように組み立てられたこの発明の組立て机は、図２３に示したように、天板４と棚体３との間には収納空間Ｓが形成されることになるので、この収納空間Ｓに幼児の使用する玩具や文房具や等の小物類を収納しておくことができることになり、使い勝手が良いものとなる。
【００４１】
さらに、この発明の組立て机は、段ボール紙などの厚紙で作製した引出し７を組み合わせることができ、この引出し７を前記収納空間Ｓに摺動自在として挿入したものとすることができる。このようにすれば、本格的な机により近づいたものとなり、使用勝手もさらに良くなる。
【００４２】
前記引出し７は、図２４に示したように展開した状態において、底面板７１の下端に折目を介して順に外前面板７２、内前面板７３を設け、底面板７１の上端に折目を介して順に外後面板７４、内後面板７５を設け、底面板７１の両側端に折目を介して順に外側面板７６、内側面板７７を設けている。外前面板７２及び内前面板７３の中央部には、手差し孔ｈを設けている。両外側面板７６、両内側面板７７の上下端には、折目を介してそれぞれ補強片７８、７９を設けている。
【００４３】
そして、前記引出し７を組み立てるには、図２５に示したように、内側面板７７を折目から内側に折り曲げて外側面板７６に重ね合わせ、外側面板７６を折目から折り曲げて立ち上がらせ、重なり合った補強片７８、７９を折目からそれぞれ内側に折り曲げる。さらに、図２６、２７に示したように、外後面板７４を折目から折り曲げて立ち上がらせ、内後面板７５を折目から折り曲げて外後面板７４に重ね合わせ、外前面板７２を折目から折り曲げて立ち上がらせ、内前面板７３を折目から折り曲げて外前面板７２に重ね合わせ、外前面板７２の手差し孔ｈと内前面板７３の手差し孔ｈを合致させる。なお、引出し７は、段ボールなどの厚紙で作製されたものであれば、どのような構造のものでもよい。また、引出し７は、このように段ボールなどの厚紙で作製されたものに限らず、合成樹脂や木材で作製されたものとしてもよい。
【００４４】
また、この発明の組立て机は、図２８に示したように、段ボール紙などの厚紙で作製した椅子８を組み合わせることができる。
【００４５】
前記椅子８は、図２９に示したように、段ボール紙などの厚紙を折り曲げて、座部８１、背当部８２、脚部８３などが構成されるものとしているが、段ボールなどの厚紙で作製されたものであれば、どのような構造のものでもよい。また、椅子８も、引出し５と同様に段ボールなどの厚紙で作製されたものに限らず、合成樹脂や木材で作製されたものとしてもよい。
【００４６】
この発明の組立て机は、以上に述べたように、それぞれを厚紙で作製した左右一対の側体１、前板２、棚体３、天板４から構成され、これら構成部材を各折目から折り曲げ、各差込孔及び差込溝に差し込んで組み立てたものとしたり、前記構成部材に加えてそれぞれを厚紙で作製した連結板５、補強板６から構成され、これら構成部材を前記構成部材と共に組み立てたものとしているので、構成部材は従来品より多くなるが、強度性に優れたものとなる。
【００４７】
さらに、この発明の組立て机は、収納空間Ｓや引出し７を備え、さらに椅子８を組み合わせたものにしたので、本格的な机に少しでも近づいたものとなり、使用勝手も良くなり、組立て机を購入した幼児の保護者等にとっても物足りなさを感じることはなく、充分に納得のできるものとなる。
【符号の説明】
【００４８】
１  側体
２  前板
３  棚体
４  天板
５  連結板
５ａ  嵌合部
６  補強板
７  引出し
８  椅子
１１  表面板
１２  後面板
１３  裏面板
１４  前面板
１５  内面板
１６  連結片
１６ａ  嵌合部
１７  底面板
１８  差込片
３１  表面板
３２  裏面板
３３  差込片
３４  差込片
３５  差込片
３６  差込片
４１  表面板
４２  裏面板
４３  前面板
４４  重ね片
４５  差込片
ａ1   横方向差込孔
ａ2   横方向差込孔
ｂ1   縦方向差込溝
ｂ2   縦方向差込溝
ｃ    縦方向差込孔
ｄ    横方向差込孔
ｅ    横方向差込溝
ｆ    縦方向差込溝
ｇ    横方向差込溝
ｈ    横方向差込溝
【図１】
2014004076.tif 000003
【図２】
2014004076.tif 000004
【図３】
2014004076.tif 000005
【図４】
2014004076.tif 000006
【図５】
2014004076.tif 000007
【図６】
2014004076.tif 000008
【図７】
2014004076.tif 000009
【図８】
2014004076.tif 000010
【図９】
2014004076.tif 000011
【図１０】
2014004076.tif 000012
【図１１】
2014004076.tif 000013
【図１２】
2014004076.tif 000014
【図１３】
2014004076.tif 000015
【図１４】
2014004076.tif 000016
【図１５】
2014004076.tif 000017
【図１６】
2014004076.tif 000018
【図１７】
2014004076.tif 000019
【図１８】
2014004076.tif 000020
【図１９】
2014004076.tif 000021
【図２０】
2014004076.tif 000022
【図２１】
2014004076.tif 000023
【図２２】
2014004076.tif 000024
【図２３】
2014004076.tif 000025
【図２４】
2014004076.tif 000026
【図２５】
2014004076.tif 000027
【図２６】
2014004076.tif 000028
【図２７】
2014004076.tif 000029
【図２８】
2014004076.tif 000030
【図２９】
2014004076.tif 000031